(57)【特許請求の範囲】
【請求項１】
雌コネクタに差込接続されるように設けられた雄コネクタを備え、雄コネクタが、対応する対のワイヤに接続されるべく設けられた第１の対の接続ピン（１）、第２の対の接続ピン（２）、第３の対の接続ピン（３）および第４の対の接続ピン（４）を備える、対のワイヤ（１０および１１、１２および１３、１４および１５、１６および１７）、特に個別にシールドされた対のワイヤ（２０）を有する多対通信ケーブルを接続するための接触装置であって、
前記雄コネクタが、前記第３の対の接続ピン（３）および第４の対の接続ピン（４）と整列する接続ピンの列を形成するように、中央の対の接続ピン（５）と別の対の接続ピン（６）とをさらに備え、前記中央の対の接続ピンが前記接続ピンの列の中央に位置し、前記別の対の接続ピンが前記中央の対の接続ピンの両側に位置し、前記第３と第４の対の接続ピンが前記接続ピンの列の対向する端部に位置しており、
前記第１の対の接続ピン（１）、第２の対の接続ピン（２）、第３の対の接続ピン（３）および第４の対の接続ピン（４）は、前記第１の対の接続ピン（１）、第２の対の接続ピン（２）、第３の対の接続ピン（３）および第４の対の接続ピン（４）が標準のＲＪ−４５コネクタの形態に対応するように、互いに間隔を置いて離されており、
前記雄コネクタが、前記第１の対の接続ピン（１）、第２の対の接続ピン（２）、第３の対の接続ピン（３）、第４の対の接続ピン（４）、中央の対の接続ピン（５）および別の対の接続ピン（６）に接続された前端を有すると共に、前記通信ケーブルの対のワイヤが接続可能である第１の対の端子（１°）、第２の対の端子（２°）、第３の対の端子（３°）および第４の対の端子（４°）が設けられたインタフェース手段を含んでおり、前記第３の対の接続ピン（３）および第４の対の接続ピン（４）は、それぞれ、前記第３の対の端子（３°）および第４の対の端子（４°）に接続されており、
前記インタフェース手段は、第１および第２の接触状態を有すると共に、前記第１の接触状態において、前記第１の対の端子（１°）と前記中央の対の接続ピン（５）との間の第１の接続、および前記第２の対の端子（２°）と前記別の対の接続ピン（６）との間の第２の接続を設定し、前記第２の接触状態において、前記第１の対の接続ピン（１）および第２の対の接続ピン（２）は、それぞれ、前記第１の対の端子（１°）および第２の対の端子（２°）に接続されるように前記第１および第２の接続を設定するよう構成された電気接触手段を備えることを特徴とする接触装置。
【請求項２】
前記インタフェース手段が第１の絶縁プレート（２３）と第２の絶縁プレート（２４）とを備えており、前記第１の絶縁プレートの前端には、その上側に、前記第３の対の接続ピン（３）と第４の対の接続ピン（４）と中央の対の接続ピン（５）と別の対の接続ピン（６）とが設けられると共に、その下側に、前記第１の対の接続ピン（１）と第２の対の接続ピン（２）とが設けられており、前記第１の絶縁プレートの後部には前記前端の反対側に、前記第１の対の端子（１°）と第２の対の端子（２°）と第３の対の端子（３°）と第４の対の端子（４°）とが設けられており、前記第１の絶縁プレート（２３）には、前記対の接続ピンおよび対の端子に接続されて前記第１の絶縁プレートの下側に伸びる端部を有するキャリアストリップがさらに設けられており、前記第２の絶縁プレート（２４）の上側に金属ストリップ（１８、１９）が設けられており、前記第２の絶縁プレートは、前記金属ストリップを経由して、前記キャリアストリップの端部を相互接続するように前記第１の絶縁プレートに沿って移動するよう構成されており、前記端部および前記金属ストリップが前記電気接触手段の一部を形成することを特徴とする請求項１に記載の接触装置。
【請求項３】
前記中央の対の端子（５）および別の対の接続ピン（６）に接続されたキャリアストリップ、ならびに前記第１の対の端子（１°）および第２の対の端子（２°）に接続されたキャリアストリップが、前記第１の絶縁プレート（２３）の下側に伸びる端部（２６、２７）を有しており、前記端部が、前記第２の絶縁プレート（２４）の前記金属ストリップ（１８、１９）と接触するように構成されており、キャリアストリップが、前記第１の対の接続ピン（１）、第２の対の接続ピン（２）、第３の対の接続ピン（３）および第４の対の接続ピン（４）を、前記第１の対の端子（１°）、第２の対の端子（２°）、第３の対の端子（３°）および第４の対の端子（４°）にそれぞれ相互接続することを特徴とする請求項２に記載の接触装置。
【請求項４】
前記第２の絶縁プレート（２４）の前面に、第１のタイプの雌コネクタの結合穴に係合するように構成された突出部（８）が設けられ、前記電気接触手段が前記第２の接触状態にあるとき、前記突出部が前記雄コネクタのハウジングの外側に伸びることを特徴とする請求項２に記載の接触装置。
【請求項５】
前記第２の絶縁プレート（２４）の側面には、前記第１の絶縁プレート（２３）に対して前記第２の絶縁プレート（２４）を移動させることによって前記第１および前記第２の接触状態を切換えることを可能にすべく、ハウジングの外部から前記雄コネクタに開口部を通じてアクセスできる突起部（７）が設けられることを特徴とする請求項２に記載の接触装置。
【請求項６】
第２の絶縁プレート（２４）を対応する位置に押し付けるように構成されたばね手段により、前記電気接触手段が初期状態で前記第２の接触状態に設定されることを特徴とする請求項４または５に記載の接触装置。
【請求項７】
前記第１の絶縁プレート（２３）に、第１の絶縁プレート（２３）のキャリアストリップをツイストすることによってＥＭＣ（電磁適合性）、漏話および他の高速要件を改善するための補償領域（２５）が設けられることを特徴とする請求項２に記載の接触装置。
【請求項８】
前記端子が、前記通信ケーブルの対のワイヤの順序に対応する順番で前記インタフェース手段上に整列していることを特徴とする請求項１に記載の接触装置。
【請求項９】
前記電気接触手段は、前記第２の接触状態で、前記第１および第２の接続のリセットを維持しながら、前記第１の対の端子（１°）の端子と前記第１の対の接続ピン（１）との間の第３の接続、ならびに前記第２の対の端子（２°）と前記第２の対の接続ピン（２）との間の第４の接続を設定するように構成されることを特徴とする請求項１に記載の接触装置。
【請求項１０】
前記第１の対の接続ピン（１）、第２の対の接続ピン（２）、中央の対の接続ピン（５）および別の対の接続ピン（６）に接続されたキャリアストリップと、前記第１の対の端子（１°）および第２の対の端子（２°）に接続されたキャリアストリップとが、前記第１の絶縁プレート（２３）の下側に伸びる端部（２６、２７、２８）を有し、前記端部が前記第２の絶縁プレート（２４）の前記金属ストリップ（１８、１９）に接触するように構成されることを特徴とする請求項９に記載の接触装置。
【請求項１１】
前記第１の対の接続ピン（１）および第２の対の接続ピン（２）の各々が対応するホルダ部分に設けられ、各ホルダ部分がシールドによって互いに分離されていることを特徴とする請求項１に記載の接触装置。
【請求項１２】
前記第１の絶縁プレート（２３）が多層印刷回路基板（ＰＣＢ）であることを特徴とする請求項２に記載の接触装置。
【請求項１３】
前記第１の絶縁プレート（２３）が、シールド層によって分離された２つの絶縁層を備えることを特徴とする請求項２に記載の接触装置。
【発明の詳細な説明】
【０００１】
【発明の属する技術分野】
本発明は、雌コネクタに差込接続されるように設けられた雄コネクタを備え、雄コネクタが、互いにできるだけ間隔を置いて離され、対応する対のワイヤに接続されるために設けられた第１、第２、第３および第４の対の接続ピンを備える、対のワイヤ、特に個別にシールドされた対のワイヤを有する多対通信ケーブルを接続するための接触装置（コンタクトセット）に関する。
【０００２】
【従来の技術】
上記のような接触装置は、当業者の間では、例えば欧州特許出願ＥＰ−Ａ２−０７５５１００「個別にシールドされた対をもつツイスト対ケーブルのための接触装置」で既に知られている。その接触装置はかなり小さくて、したがって、ワイヤが非常に接近して配置されている。その結果、隣接する対のワイヤの間に漏話（クロストーク）問題が存在する。その既知の特許出願は、最も近くに隣接する対のワイヤに対して９０°のツイストを与えて４対の接続ピンを配置することによってその問題を解決することを主張している。４対の接続ピンを互いにできるだけ間隔をおいて離すことによって、異なる対の間の漏話がかなり低減され、６００ＭＨｚまでおよびおそらくは６００ＭＨｚを超えて優れた伝送特性を提供する。
【０００３】
【発明が解決しようとする課題】
上記の既知の接触装置の欠点は、雄コネクタが、高周波数の用途に適した特定の構成を有し、対応する特定の構成を有する雌コネクタのみがその雄コネクタに結合できることである。特に、その既知の雄コネクタは既知のＲＪ−４５雌コネクタに結合できない。
【０００４】
本発明の目的は、既知の「カテゴリ７」のコネクタについては、高い周波数、特に６００ＭＨｚまであるいは６００ＭＨｚを越える周波数で伝送でき、しかし、雄コネクタがまた、既知の「カテゴリ６」のコネクタについては約２００ＭＨｚまたはＩＥＣ６０６０３によって標準化されたような既知の「カテゴリ５」のコネクタについては約１００ＭＨｚの低周波数で動作するように構成された既知のＲＪ−４５雌コネクタに差込接続すべく適合する、接触装置を提供することである。
【０００５】
【課題を解決するための手段】
本発明によれば、上記の目的は、前記雄コネクタが、前記第３の対の接続ピンおよび第４の対の接続ピンと整列する接続ピンの列を形成するように、中央の対の接続ピンと別の対の接続ピンとをさらに備え、前記中央の対の接続ピンが前記接続ピンの列の中央に位置し、前記別の対の接続ピンが前記中央の対の接続ピンの両側に位置し、前記第３と第４の対の接続ピンが前記接続ピンの列の対向する端部に位置しており、前記雄コネクタが、前記第１の対の接続ピン、第２の対の接続ピン、第３の対の接続ピン、第４の対の接続ピン、中央の対の接続ピンおよび別の対の接続ピンに接続された前端を有すると共に、前記通信ケーブルの対のワイヤが接続される第１の対の端子、第２の対の端子、第３の対の端子および第４の対の端子が設けられたインタフェース手段を含んでおり、前記インタフェース手段は、第１および第２の接触状態を有すると共に、前記第１の接触状態において、前記第１の対の端子と前記中央の対の接続ピンとの間の第１の接続、および前記第２の対の端子と前記別の対の接続ピンとの間の第２の接続を設定し、前記第２の接触状態において、前記第１および第２の接続をリセットするように構成された電気接触手段を備えることによって実現される。
【０００６】
このように、第３の対の接続ピンおよび第４の対の接続ピンと追加の対の接続ピン、すなわち、中央の対の接続ピンおよび別の対の接続ピンを備える整列した８つの接続ピンの上記のように形成された配列が、標準のＲＪ−４５コネクタの配列に対応する。さらに、本発明の雄コネクタは既知のＲＪ−４５雌コネクタに差込接続できる適合性がある。第１の接触状態に設定される電気接触手段を備えることによって、標準のＲＪ−４５接続を使用するとき、電気信号は、接続ピンの中央の対の接続ピンおよび別の対の接続ピンから第１の対の端子および第２の対の端子までそれぞれ伝送され、また、その逆もまた同様である。他方、本雄コネクタの対応する第１の対の接続ピンおよび第２の対の接続ピンに結合する接続手段を有する雌コネクタに差込接続されると、第２の接触状態に設定された電気接触手段は、電気信号が、対のワイヤから、第１、第２、第３および第４の対の端子をそれぞれ経由して、本雄コネクタの第１の対の接続ピン、第２の対の接続ピン、第３の対の接続ピンおよび第４の対の接続ピンへ伝送されるだけであり、またさらに雌コネクタの結合接続手段に伝送され、ならびにその逆も同様であるように、上記の伝送を防止する。
【０００７】
後者の伝送を高い周波数を使って達成できるのは、雄コネクタの第１の対の接続ピン、第２の対の接続ピン、第３対の接続ピンおよび第４の対の接続ピンが互いにすなわちコネクタの前面の縁部で十分に間隔を置いて配置されるからである。また、中央の対の接続ピンおよび別の対の接続ピンは電気信号を受信せず、第１の対の接続ピンと第２の対の接続ピンとの電気接触が解放されるからである。したがって、電気信号は雌コネクタの中央の対の接続ピンおよび別の対の接続ピンに到達しない。上記の結果、それらの接続ピンの間で漏話がなくなる。
【０００８】
好ましい実施形態では、前記インタフェース手段が第１の絶縁プレートと第２の絶縁プレートとを備えており、前記第１の絶縁プレートの前端には、その上側に、前記第３の対の接続ピンと第４の対の接続ピンと中央の対の接続ピンと別の対の接続ピンとが設けられており、その下側に、前記第１の対の接続ピンと第２の対の接続ピンとが設けられており、前記第１の絶縁プレートの後部には前記前端の反対側に、前記第１の対の端子と第２の対の端子と第３の対の端子と第４の対の端子とが設けられており、前記第１の絶縁プレートには、前記対の接続ピンおよび対の端子に接続されて、前記第１の絶縁プレートの下側に伸びる端部を有するキャリアストリップがさらに設けられており、前記第２の絶縁プレートは、前記第２の絶縁プレートの上側に金属ストリップが設けられており、前記金属ストリップを経由して、前記キャリアストリップの端部を相互接続するように前記第１の絶縁プレートに沿って移動するよう構成されており、前記端部および前記金属ストリップが前記電気接触手段の一部を形成する。
【０００９】
このように、インタフェース手段を形成するキャリアストリップは、雄コネクタの前端と後部の間の領域でできるだけ離される。その結果、漏話およびより詳細には、近端漏話（ＮＥＸＴ）が改良される。
【００１０】
本発明の別の特色は、前記第２の絶縁プレートの前面に、第１のタイプの雌コネクタの結合穴に係合するように構成された突出部が設けられ、前記電気接触手段が前記第２の接触状態にあるとき、前記突出部が前記雄コネクタのハウジングの外側に伸びることである。
【００１１】
第１の形式の雌コネクタが「カテゴリ７」のコネクタならば、第１の対の接続ピン、第２の対の接続ピン、第３の対の接続ピンおよび第４の対の接続ピンが使用できて、中央の対の接続ピンおよび別の対の接続ピンに信号が流れないように、その雌コネクタには係合穴が設けられる。例えば、突出部が穴に係合していると、雌コネクタを高速の状態に自動的に切換えるよう結合穴には電気接点を備えることができる。他方では、「カテゴリ５」または「カテゴリ６」タイプの、すなわち第２のタイプの雌コネクタには、そのような結合穴は設けられない。結果として、本発明の雄コネクタをそのような雌コネクタに差込接続できるように突出部が引っ込められなければならない。突出部を引っ込めることは電気接触手段を第１の接触状態に設定することに対応するので、信号は、中央の対の接続ピンおよび別の対の接続ピンと第１の対の端子および第２の対の端子との間で伝送される。
【００１２】
また、本発明の別の特色は、前記第２の絶縁プレートの前記側面に、前記第１の絶縁プレートに対して前記第２の絶縁プレートを移動させることによって前記第１および前記第２の接触状態を切換えることを可能にすべく、ハウジングの外部から前記雄コネクタに開口部を通じてアクセスできる突起部が設けられることである。
【００１３】
したがって、その突起部によって手動で電気接触手段の第１の状態と第２の状態との間の切換え、すなわち、カテゴリ５／６とカテゴリ７との間の切換えを行うことができる。その突起部については異なった実施形態も可能であって、手動で制御する代わりに、雌コネクタのハウジングによってその突起部を制御するよう、例えば、その突起部を雄コネクタのハウジングの外側に伸ばすことができる。実際、電気接触手段を第１の接触状態、例えば、カテゴリ５／６コネクタの状態に自動的に切換えるために、突起部が雌コネクタのハウジングの切欠きに入り込む、または雌コネクタのハウジングに当接するように雌コネクタを設計できる。
【００１４】
本発明の変形実施形態の特徴は、第２の絶縁プレートを対応する位置に押し付けるように構成されたばね手段により、前記電気接触手段が初期状態で前記第２の接触状態に設定されることである。
【００１５】
注意すべきは、前記第１の絶縁プレートには補償領域が設けられることである。
【００１６】
そのような補償領域がＥＭＣ（電磁適合性）、漏話および他の高速要件を改善できることは当業者の間ではよく知られている。
【００１７】
好ましくは、前記端子が、前記通信ケーブルの対のワイヤの順序に対応する順番で前記インタフェース手段上に整列している。
【００１８】
相互接続する対のツイストワイヤの現在の通信業界基準によれば、例えばカテゴリ５の基準によれば、また既述のように、伝送システムのチップおよびリングワイヤを形成する対のワイヤはそのコネクタの中で特定の順序で連結されなければならないことが知られている。より詳細には、第１および第２の対の接続ピンが整列したあるいは一直線に並べられた列の対向する両端部に位置し、第３の対の接続ピンが中央に位置して、第４の対の接続ピンは第３の対の接続ピンをまたぐ。他方では、通信ケーブルのツイスト対ケーブルは接続ピンとは異なる順序で並べられる。しかし、好ましくは、通信ケーブルの対のワイヤとコネクタの後部の対の端子との間の相互接続位置における漏話をかなり改良するために、インタフェース手段の後部の対の端子をツイスト対ケーブルと同じ順序で並べる。上記は、接続ピンと端子との間の交差接続（クロスコネクシヨン）を可能にし、第１の絶縁プレートの上側および、もしあれば、下側にあるキャリアストリップによって可能となる。
【００１９】
本発明の異なる実施形態では、さらに、前記第２の接触状態において前記第１のおよび第２の接続をリセットしたまま、前記第１の対の端子と前記第１の対の接続ピンとの間の第３の接続、ならびに前記第２の対の端子と前記第２の対の接続ピンとの間の第４の接続を設定するように前記電気接触手段を構成する。
【００２０】
しかし、上記の実施形態は、キャリアストリップの端部と接点の数が多く、一般に、高い周波数の用途にマイナス効果を有するためそれほど好まれない。
【００２１】
好ましくは、前記第１の絶縁プレートは多層の印刷回路基板（ＰＣＢ）である。
【００２２】
さらに、上述の漏話問題をさらに低減させるために、前記第１の対の接続ピンおよび第２の対の接続ピン各々が対応するホルダ部分に設けられ、シールドおよび／または前記第１の絶縁プレートによって互いに離される各ホルダ部分はシールド層によって分離された２つの絶縁層を備える。
【００２３】
本発明の接触装置の別の特色が首記の請求項に記載されている。
【００２４】
添付の図面に関連して行われる実施形態の以下の記載を参照すれば、本発明の上記のおよび他の目的と特徴がより明らかになり、発明自体が最も良く理解されよう。
【００２５】
【発明の実施の形態】
図１および２には、本発明による雄コネクタが図示されている。このコネクタは、コネクタのホルダ部分またはハウジング９に位置する第１の対の接続ピン１および第２の対の接続ピン２を備える。対の接続ピン１および２は、ハウジング９の前端の下側に位置し、互いにできるだけ間隔を置いて離される。ハウジング９の前端は、後で述べるように、ＲＪ−４５の雌コネクタに結合されるように設計される。その目的に合わせて、前端の上側には、別の接続ピン列がさらに具備され、列の第１の末端には、第３の対の接続ピン３が、もう一方の末端には、第４の対の接続ピン４が具備される。
【００２６】
ハウジング９の前端の反対側に、４つの対のツイストワイヤからなる通信ケーブルを受容するよう設計された後（尾）部がある。そのケーブルは、対の接続ピン１ないし４に接続されるための８つのワイヤ１０ないし１７の列を含む。対のワイヤは、接続ピンとの接続場所での漏話を低減させるために互いに離される。好ましくは、各対のワイヤは、一般に図１および２において参照符号２０で示すようにシールドされている。
【００２７】
対の接続ピン１ないし４は互いにできるだけ間隔を置いて離されるので、本発明の雄コネクタは、既知の「カテゴリ７」のコネクタ（以下「ｃａｔ７」と称す）の場合のような広帯域または高い周波数の用途に適用するのに完全に適している。
【００２８】
しかしながら、本発明によれば、さらに、本発明の雄コネクタは、どのＲＪ−４５雌コネクタも受容し、また標準の「カテゴリ５」または既知の「カテゴリ６」のコネクタ（以下、一般に「ｃａｔ５／６」と称す）として機能するよう構成される。
【００２９】
その目的に合わせて、さらに、雄コネクタには、標準のＲＪ−４５雌コネクタに設けられている対応する接続部に結合されるように中央の対の接続ピン５および別の対の接続ピン６が設けられる。
【００３０】
ｃａｔ７雌コネクタの前部の透視図を図３に示す。そこでは、接続部１’ないし６’が、雄コネクタの対の接続ピン１ないし６それぞれと接触するように設計される。標準のＲＪ−４５雌コネクタの前部の透視図を図４に示す。そこでは、接続部３”ないし６”が、雄コネクタの対の接続ピン３ないし６それぞれと接触するように設計される。
【００３１】
図５は、上記の雄コネクタの正面図を示す。
【００３２】
図示されないが、さらに干渉を低減するために、雄コネクタの各対の接続ピンを対応するホルダ部分に備えることができ、各ホルダ部分がシールドによって互いに離される。好ましくは、そのシールドは、ｃａｔ７雌コネクタの接続時に雄コネクタの中央の対の接続ピン５および／または別の対の接続ピン６を接地するために設けられる。
【００３３】
再び図１および２について触れると、突出部８が雄コネクタのハウジング９の前面で伸びている。その突出部８は、同様の機能を有する雌コネクタと組み合わせる雄コネクタの機能を変えるだけである。突出部８を、それに適合される雌コネクタの結合穴に係合することができる。例えば、結合穴には、突出部８が係合されているとき、雌コネクタを高速用の配列あるいは形態（コンフィギュレーション）、例えば、ｃａｔ７コネクタに自動的に切換える電気接点を備えることができる。
【００３４】
突起部７は、高速用配列（ｃａｔ７）と低速用配列（ｃａｔ５／６）との間の切換えを可能にするために、ハウジング９の開口部を通してアクセス（接近）できる。そのスイッチは手動にも、または自動にもできる。手動のスイッチは、図１および２の違いから分かるように、突起部７を左から右に移動させて作動される。後で明らかになるように、突起部７および突出部８は、共にまた同時に左から右に、また右から左に移動するよう連結されている。自動のスイッチは、雄コネクタ、またはプラグを、雌コネクタまたはジャックに差込接続したときに作動され、次に、そのプラグは、適用しなければならない配列を自動的に認識する。例えば、雌コネクタがｃａｔ７コネクタのとき、その雌コネクタには、突出部８に結合する盲穴が設けられる。既に述べたように、ＲＪ−４５コンパチブル高速雌コネクタを図３に示す。高速の信号伝送は、対の接続部１’、２’、３’および４’を介して実現される。異なった対の間の距離を広げると、非常に厳しい近端漏話の性能を満たすのに役立つ。それに反して、ｃａｔ５／６雌コネクタにはそのような穴は設けられず、雄コネクタを差込接続すると、突出部８がハウジング９内に引っ込むよう、すなわち、右側に突出部が押し込まれる。結果として、雄コネクタは低速用配列に自動的に切換えられる。別の実施形態では、例えば、雌コネクタには、その切り込み内で突起部７の位置を変化させるまたはさせないハウジングを備えることができる。やはり、ｃａｔ５／６雌コネクタにはそのような切り込みは設けられず、その結果、雄コネクタを低速用配列に切換えるために突起部７を右側に移動させるように雌コネクタが突起部７を押し込む。好ましくは、初期状態（デフォルト）でスイッチを高速用配列に維持する、すなわち、突出部８がハウジング９の外側に伸びるように、雄コネクタにはばね手段が設けられなければならない。
【００３５】
図６、７および８は、雄コネクタの中の電気接触手段の可能な実施形態を示す。
【００３６】
図６は、例えば、突出部８がハウジングの外に伸びている第２の接触状態では、内部の電気接点２９が開いており、その結果、雄コネクタの中央の対の接続ピン５および別の対の接続ピン６が第１の対の接続ピン１と第２の対の接続ピン２に接続されるのを防止していることを示している。対応する第１の対の接続部１’と第２の対の接続部２’（図３に示すように）を有している雌コネクタに差込接続されると、通信ケーブルの第１の対のワイヤ１０、１１、および第２の対のワイヤ１２、１３と、それらの対の接続部１’および２’との間でそれぞれの対の接続ピン１および２を通じて電気信号を伝送することができるが、しかし、対の接続ピン５および６には伝送されない。第３の対のワイヤ３および第４の対のワイヤ４を通じて伝送される信号は、接続ピン３および４の相互接続を通じてそれぞれの接続部３’および４’に伝送されるだろう。
【００３７】
既に述べ、図５で明確に示したように、これらの相互接続３’−３および４’−４は、並べられたピン列の両端部に位置するので、ｃａｔ７接触装置の場合のように６００ＭＨｚまでのおよびこれを超える高い伝送周波数であっても、対の接続部と接続ピンとの間の漏話はある程度抑えられる。
【００３８】
図７は、雄コネクタに接続されたワイヤと雌コネクタに接続されたワイヤとの間の信号の伝送を保証する電気接点（電気接触手段）２９のもう一つの接触状態を示す。言い換えれば、例えば、突出部８がハウジングに引っ込められる、すなわち突起部７が右に移動する第１の接触状態では、電気接点２９は閉じられる。その後者の場合、雄コネクタの中央の対の接続ピン５および別の対の接続ピン６は、第１の対の接続ピン１および第２の対の接続ピン２に電気的にそれぞれ接続される。しかしながら、標準のＲＪ−４５雌コネクタを示す図４に見られるような標準の雌コネクタに雄コネクタが差込接続されると、対のワイヤが、雄コネクタの対の接続ピン１および２に接続されるが、第１の対の接続ピン１および第２の対の接続ピン２は、雌コネクタの対応する接続部に接続されない。そのとき、雄コネクタの中央の接続ピン５および別の中央の接続ピン６と雌コネクタの対応する接続部５”および６”との間で信号を伝送することができるだけである。
【００３９】
図８は、対のワイヤを、対応する第１の対の接続ピン１および第２の対の接続ピン２に、または対応する中央の対の接続ピン５および別の対の接続ピン６に接続するための電気接点３０の変形実施形態を示す。２つの対のワイヤと対応する対の接続ピン１および２との間を常時直接に接続する代わりに、電気接点３０は、突出部８および突起部７の位置に応じて、対のワイヤを対の接続ピン１および２、または対の接続ピン５および６のいずれかに接続する切換スイッチである。高速用途の場合、対の接続ピン１、２とそれらの対応する対のワイヤとの間が接続される。そのとき、中央の対の接続ピン５と別の対の接続ピン６には、信号が伝送されない。低速用途の場合（図示されない）、中央の対の接続ピン５および別の対の接続ピン６と対応する対のワイヤとの間が接続されるが、対の接続ピン１および２には信号が伝送されない。
【００４０】
図９は、本発明の雄コネクタの好ましい実施形態の部品詳細図である。その図によると、ワイヤ保持器２１がコネクタの後部に位置していることが示されている。ワイヤ保持器２１は、通信ケーブル１０ないし１７を受容するように構成されたワイヤ穴２２を有する。ワイヤ保持器２１は、コネクタのハウジング９を閉じるのに使用される。ＥＭＣおよび漏話性能をより優れたものにするために、ワイヤ保持器２１をシールド、または金属化される。
【００４１】
そのハウジングの中にはインタフェース手段が設けられる。それらのインタフェース手段は、第２の絶縁プレート２４と協働するよう構成された第１の絶縁プレート２３を備える。第１の絶縁プレート２３の前端部の上側には、上述の第３の対の接続ピン３、第４の対の接続ピン４、中央の対の接続ピン５、および別の対の接続ピン６があり、その下側には、第１の対の接続ピン１および第２の対の接続ピン２がある。その第１の絶縁プレート２３の後部には、ワイヤ保持器２１により覆われるであろう、第１の対の端子１°、第２の対の端子２°、第３の対の端子３°、および第４の対の端子４°がある。その第１の絶縁プレート２３には、対の接続ピン１ないし６ならびに対の端子１°ないし４°に接続されたキャリアストリップがさらに設けられる。それらのキャリアストリップのいくつかには第１の絶縁プレート２３の下側に伸びる端部がある。第２の絶縁プレート２４の上側には、絶縁プレート２３のキャリアストリップの端部と協働してスイッチを形成するよう構成される金属ストリップ１８および１９が設けられている。より詳細には、その第２の絶縁プレート２４を第１の絶縁プレート２３に沿って移動するよう構成し、その結果、金属ストリップ１８および１９を通じてキャリアストリップの端部を相互接続して、それらの端部と金属ストリップが上述のスイッチの電気接点を形成する。注意すべきは、第２の絶縁プレート２４には突出部８および突起部７が設けられることである。
【００４２】
図１０に第１の絶縁プレート２３の上面図を示す。その図で明らかなように、キャリアストリップの端部２６および２７を通じ、また、第２の絶縁プレートまたはスイッチ支持体２４上に配置された金属ストリップ１８および１９によってそれらの端部の間を電気的に接続して、中央の対の接続ピン５および別の対の接続ピン６に接続されたキャリアストリップを第１の対の端子１°および第２の対の端子２°に接続されたキャリアストリップに電気的に接続できる。対応する第１の対の接続部１’および第２の対の接続部２’を有する雌コネクタに差込接続するとき、電気接続部１８および１９は解放されなければならない、すなわち、第１の対のワイヤ１０−１１および第２の対のワイヤ１２−１３を通じて伝送される信号が、接続ピン１−１’間および２−２’間を通じて伝送され、対の接続ピン５および６へは伝送されないように絶縁プレート２４を左に移動する。第３の対のワイヤ１４−１５および第４の対のワイヤ１６−１７を通じて伝送される信号が、対の接続ピン３および４を対の端子３°および４°それぞれと直接相互接続するキャリアストリップを介して、ならびに接続ピン３−３’間および４−４’間を経由して伝送されるだろう。図５で明らかなようにそれらの接続ピン３−３’および４−４’は各コネクタのピン列の端部に位置するので、６００ＭＨｚまでのおよびこれを超える高い伝送周波数であっても、それらの対の接続ピンの間の漏話がある程度抑えられる。
【００４３】
既に述べたように、スイッチ支持体２４を動かすことによって、電気接続部１８および１９が動かされる。雄コネクタの内部または外部でアクセスできる突起部またはスイッチ７によってそのスイッチ支持体は動かされるであろう。スイッチ７によってスイッチ支持体２４を動かすとき、電気接続部１８および１９は、絶縁プレート２３の下側または裏側にある端部２６と２７との間の接点を接続するまたは切断する量と同じだけ動くだろう。好ましくは、その絶縁プレート２３は多層印刷回路基板ＰＣＢである。その接点が切り離されると、それは、電気接続部１８および１９が解放され、第１および第２の対のワイヤ１を通じて伝送される信号が接続ピン１−１’間および２−２’間を通じて伝送され、接続ピン５と６を通過しないことを意味する。
【００４４】
図２および４に戻ると、それらの図で明らかに示されているように、前述の雄コネクタをＲＪ−４５ジャックと呼ばれる標準のＲＪ−４５雌コネクタに差込接続すると、第１の対の接続ピン１および第２の対の接続ピン２は、必ずしも雌コネクタの対応する接続部または接続ピンに直接接続されるわけではない。しかしながら、それらの接続ピン１および２には対のワイヤが接続される。図１０と共に、図９は、信号が第１の対の接続ピン１および第２の対の接続ピン２から中央の対の接続ピン５および別の対の接続ピン６に伝送されて、１−５−５”および２−６−６”に従って進むので、雄コネクタに対応するワイヤから雌コネクタのワイヤへの信号の伝送を保証する電気接続部１８および１９を示す。
【００４５】
第１の対の接続ピン１および第２の対の接続ピン２から、従って第１の対の端子１°および第２の対の端子２°から、中央の対の接続ピン５および別の対の接続ピン６への伝送のために、端部２６−２７の間の電気接点は閉じられなければならない。これは、スイッチ７を使用するスイッチ支持体２４を介して金属ストリップまたは電気接続部１８および１９を動かすことによって行われる。その接触がなされるか、または復するとき、それは、電気接続部１８および１９が接続され、第１および第２の対のワイヤを通じて伝送される信号が、接続ピン１−１’間および２−２’間を通じて伝送されると共に対の接続ピン５および６を通過することを意味する。
【００４６】
スイッチ機能部の隣に、すなわちキャリアストリップの端部または接点２６および２７の近くに、当業者によってよく知られている「補償領域」２５が設けられる。補償領域２５は、例えば補償領域のキャリアストリップをツイストすることによって、ＥＭＣ、漏話および他の高速要件を改良するのに使用される。雄コネクタの絶縁プレート２３としてＰＣＢを使用すると、雄コネクタのスペースおよび性能を最適化できる。様々なワイヤの長さに適合でき、近端漏話補償（ＮＥＸＴ）を導入することができ、特にワイヤのクロスオーバを実現できる。高速伝送、すなわちｃａｔ７の場合、接続が割込みポイントなしで行われる。信号は、ワイヤから対の端子１°、２°、３°および４°を通じて対の接続ピン１、２、３および４にそれぞれ伝達されるだろうが、中央の対の接続ピン５にも、別の対のピン６にも信号はまったく伝達されないだろう。低速伝送、すなわちｃａｔ５／６の場合、切換え装置は、対の接続ピン２と対の接続ピン６との間、ならびに対の接続ピン５と対の接続ピン１との間を接続するだろう。本設計では、いくつかの接続ピンのためのクロスオーバが実現される。
【００４７】
好ましい実施形態では、追加のシールド層（図示されない）として、ＰＣＢ  ２３が第１の絶縁プレートを２つの部分に分離する。
【００４８】
図１１は、対のワイヤを対応する対の接続ピン１および２ならびに中央の対の接続ピン５および別の対の接続ピン６に接続する変形形態で次に好ましい方法を示す。この実施形態では、端部２６を有するキャリアストリップが中央の対の接続ピン５および別の対の接続ピン６に接続され、端部２７を有するキャリアストリップが第１の対の端子１°および第２の対の端子２°に接続され、そして、端部２８を有するキャリアストリップが第１の対の接続ピン１および第２の対の接続ピン２に接続される。それらの端部２６、２７および２８は第１の絶縁プレート２３の下側で伸び、第２の絶縁プレート２４の金属ストリップ１８および１９と接触できる。したがって、図１０に示すように、２つの対のワイヤ１０−１１、１２−１３と対応する対の接続ピン１および２との間の直接接続の代わりに、電気接続部１８および１９が両者を接続するかまたは切断するクロスオーバスイッチを形成する。高速用途の場合、対の端子１°、２°ならびに端部間または接続ピン２８および２７間の短絡を通じて、対の接続ピン１、２とそれらの対応する対のワイヤ１０−１１、１２−１３とが接続される。中央の対の接続ピン５および別の対の接続ピン６は信号を伝送しない。低速用途の場合、接続ピン２７と２６との間の短絡を通じて、中央の対の接続ピン５および別の対の接続ピン６とそれぞれ対応する対の端子１°および２°との間が接続される。そのとき、第１の対の接続ピン１および第２の対の接続ピン２は信号を伝送しないだろう。
【００４９】
本発明の原理を特定の装置に関して上に記載したが、首記の請求項に定義されるように、上記は単に例として記載されたもので、本発明の趣旨を制限するものではないことは明確に理解されたい。
【図面の簡単な説明】
【図１】高速用配列、例えば、「カテゴリ７」における、本発明による雄コネクタの前部を示す斜視図である。
【図２】低速用配列、例えば、「カテゴリ５」における図１の雄コネクタの前部を示す斜視図である。
【図３】図１による雄コネクタに結合する第１タイプの雌コネクタの前部の透視図を示す。
【図４】図２による雄コネクタに結合する、標準のＲＪ−４５または第２タイプの雌コネクタの前部の透視図を示す。
【図５】図１による雄コネクタの正面図を示す。
【図６】図１の高速用配列による雄コネクタにおける切換え原理を示す側方断面図である。
【図７】図２の低速用配列による雄コネクタにおける切換え原理を示す側方断面図である。
【図８】可能な別の切換え装置による雄コネクタにおける切換え原理を示す側方断面図である。
【図９】図１による雄コネクタの部品分解図である。
【図１０】接触状態の切換え、および図１から図２へのような配列の変化に使用される図６の絶縁プレート２３の説明図である。
【図１１】図７の絶縁プレート２３の変形実施形態の説明図である。
【符号の説明】
１  第１の対の接続ピン
１°  第１の対の端子
２  第２の対の接続ピン
２°  第２の対の端子
３  第３の対の接続ピン
３°  第３の対の端子
４  第４の対の接続ピン
４°  第４の対の端子
５  中央の対の接続ピン
６  別の対の接続ピン
７  突起部
１０、１１  第１の対のワイヤ
１２、１３  第２の対のワイヤ
１４、１５  第３の対のワイヤ
１６、１７  第４の対のワイヤ
１８、１９  金属ストリップ
２３  第１の絶縁プレート
２４  第２の絶縁プレート
【図１】
0004318810.tif 000002
【図２】
0004318810.tif 000003
【図３】
0004318810.tif 000004
【図４】
0004318810.tif 000005
【図５】
0004318810.tif 000006
【図６】
0004318810.tif 000007
【図７】
0004318810.tif 000008
【図８】
0004318810.tif 000009
【図９】
0004318810.tif 000010
【図１０】
0004318810.tif 000011
【図１１】
0004318810.tif 000012